【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
複数の無線通信装置を有する無線通信システムにおいて、
各無線通信装置の送信部は、送信すべき送信系列が所定数繰り返えされた周期系列を生成する周期系列生成手段と、送信すべき送信系列を搬送周波数で変調する変調部とを有し、
各無線通信装置の受信部は、搬送周波数で変調された受信波を復調する復調部を有し、
前記送信すべき送信系列は、マルチパス特性測定用のパイロット信号と送信データ信号を有し、更に、前記周期系列生成手段は、送信すべき送信系列に、所定のＤＦＴ行列のベクトル成分を順次乗算して、前記周期系列を生成することを特徴とする無線通信システム。
【請求項２】
前記周期系列生成手段は、(１、１、１、１)、(１、ｊ、−１、−ｊ)、(１、−１、１、−１)、(１、−ｊ、−１、ｊ)の特性を有するフィルタの内の一つを用いて周期系列を生成することを特徴とする請求項１に記載の無線通信システム。
【請求項３】
前記拡散系列又はマルチパス特性測定用のパイロット信号は、ゼロコリレーションゾーン系列であることを特徴とする請求項１又は２に記載の無線通信システム。
【請求項４】
前記無線通信システムが、移動通信システムであることを特徴とする請求項１ないし３いずれか一項に記載の無線通信システム。
【請求項５】
前記無線通信システムが、無線ＬＡＮ通信システムであることを特徴とする請求項１ないし３いずれか一項に記載の無線通信システム。
【請求項６】
複数の無線通信装置を有する無線通信システムにおける無線通信方法において、
送信工程と受信工程とを有し、
前記送信工程は、送信すべき送信系列が所定数繰り返えされた周期系列を生成する周期系列生成工程と、送信すべき送信系列を搬送周波数で変調する変調工程とを有し、
前記受信工程は、搬送周波数で変調された受信波を復調する復調工程を有し、
前記送信すべき送信系列は、マルチパス特性測定用のパイロット信号と送信データ信号を有し、更に、各時点で各無線通信装置から送信される搬送周波数が異なることを特徴とする無線通信方法。
【請求項７】
前記周期系列生成工程は、(１、１、１、１)、(１、ｊ、−１、−ｊ)、(１、−１、１、−１)、(１、−ｊ、−１、ｊ)の特性を有するフィルタの内の一つを用いて周期系列を生成することを特徴とする請求項６記載の無線通信方法。
【請求項８】
送信部と受信部を有する通信装置において、
前記送信部は、送信すべき送信系列が所定数繰り返えされた周期系列を生成する周期系列生成手段と、送信すべき送信系列を搬送周波数で変調する変調部とを有し、
前記受信部は、搬送周波数で変調された受信波を復調する復調部を有し、
前記送信すべき送信系列は、マルチパス特性測定用のパイロット信号と送信データ信号を有し、更に、各無線通信装置から送信される搬送周波数がそれぞれ異なることを特徴とする通信装置。
【請求項９】
送信部と受信部を有する通信装置において、
前記送信部は、送信すべき送信系列が所定数繰り返えされた周期系列を生成する周期系列生成手段と、送信すべき送信系列を搬送周波数で変調する変調部とを有し、
前記受信部は、搬送周波数で変調された受信波を復調する復調部を有し、
前記送信すべき送信系列は、マルチパス特性測定用のパイロット信号と送信データ信号を有し、更に、前記周期系列生成手段は、送信すべき送信系列に、所定のＤＦＴ行列のベクトル成分を順次乗算して、前記周期系列を生成することを特徴とする通信装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項１に記載された発明は、複数の無線通信装置を有する無線通信システムにおいて、各無線通信装置の送信部は、送信すべき送信系列が所定数繰り返えされた周期系列を生成する周期系列生成手段と、送信すべき送信系列を搬送周波数で変調する変調部とを有し、各無線通信装置の受信部は、搬送周波数で変調された受信波を復調する復調部を有し、前記送信すべき送信系列は、マルチパス特性測定用のパイロット信号と送信データ信号を有し、更に、前記周期系列生成手段は、送信すべき送信系列に、所定のＤＦＴ行列のベクトル成分を順次乗算して、前記周期系列を生成することを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
請求項２に記載された発明は、請求項１に記載の無線通信システムにおいて、前記周期系列生成手段は、前記周期系列生成手段は、(１、１、１、１)、(１、ｊ、−１、−ｊ)、(１、−１、１、−１)、(１、−ｊ、−１、ｊ)の特性を有するフィルタの内の一つを用いて周期系列を生成することを特徴とする。
【手続補正８】
【補正対象書類名】明細書
【補正対象項目名】００１２
【補正方法】変更
【補正の内容】
【００１２】
請求項３に記載された発明は、請求項１又は２に記載の無線通信システムにおいて、前記拡散系列又はマルチパス特性測定用のパイロット信号は、ゼロコリレーションゾーン系列であることを特徴とする。
【手続補正９】
【補正対象書類名】明細書
【補正対象項目名】００１３
【補正方法】変更
【補正の内容】
【００１３】
請求項４に記載された発明は、請求項１ないし３いずれか一項に記載の無線通信システムにおいて、前記無線通信システムが、移動通信システムであることを特徴とする。
【手続補正１０】
【補正対象書類名】明細書
【補正対象項目名】００１４
【補正方法】変更
【補正の内容】
【００１４】
請求項５に記載された発明は、請求項１ないし３いずれか一項に記載の無線通信システムにおいて、前記無線通信システムが、無線ＬＡＮ通信システムであることを特徴とする。
【手続補正１１】
【補正対象書類名】明細書
【補正対象項目名】００１５
【補正方法】変更
【補正の内容】
【００１５】
請求項６に記載された発明は、複数の無線通信装置を有する無線通信システムにおける無線通信方法において、送信工程と受信工程とを有し、前記送信工程は、送信すべき送信系列が所定数繰り返えされた周期系列を生成する周期系列生成工程と、送信すべき送信系列を搬送周波数で変調する変調工程とを有し、前記受信工程は、搬送周波数で変調された受信波を復調する復調工程を有し、前記送信すべき送信系列は、マルチパス特性測定用のパイロット信号と送信データ信号を有し、更に、各時点で各無線通信装置から送信される搬送周波数が異なることを特徴とする。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
請求項７に記載された発明は、請求項６記載の無線通信方法において、前記周期系列生成工程は、前記周期系列生成手段は、(１、１、１、１)、(１、ｊ、−１、−ｊ)、(１、−１、１、−１)、(１、−ｊ、−１、ｊ)の特性を有するフィルタの内の一つを用い周期系列を生成することを特徴とする。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
請求項８に記載された発明は、送信部と受信部を有する通信装置において、前記送信部は、送信すべき送信系列が所定数繰り返えされた周期系列を生成する周期系列生成手段と、送信すべき送信系列を搬送周波数で変調する変調部とを有し、前記受信部は、搬送周波数で変調された受信波を復調する復調部を有し、前記送信すべき送信系列は、マルチパス特性測定用のパイロット信号と送信データ信号を有し、更に、各無線通信装置から送信される搬送周波数がそれぞれ異なることを特徴とする。
【手続補正１６】
【補正対象書類名】明細書
【補正対象項目名】００２０
【補正方法】変更
【補正の内容】
【００２０】
請求項９に記載された発明は、送信部と受信部を有する通信装置において、前記送信部は、送信すべき送信系列が所定数繰り返えされた周期系列を生成する周期系列生成手段と、送信すべき送信系列を搬送周波数で変調する変調部とを有し、前記受信部は、搬送周波数で変調された受信波を復調する復調部を有し、前記送信すべき送信系列は、マルチパス特性測定用のパイロット信号と送信データ信号を有し、更に、前記周期系列生成手段は、送信すべき送信系列に、所定のＤＦＴ行列のベクトル成分を順次乗算して、前記周期系列を生成することを特徴とする。